(57)【要約】【解決手段】接着剤２Ａと剥離紙２Ｂとを接着面に設けた接着基板２を形成する。該接着基板２に連結され、筆記具を保持する保持筒１を設ける。皮革又は布地からなる一枚の柔軟性シート材Ｐの略中央を縫着して接着基板２と保持筒１とを一体に形成する。保持筒１の開口端部に圧着保持具４を装着する。圧着保持具４は、保持筒１の内側面から前記接着基板２の接着面に至り、保持筒１と接着基板２との境界にある縫着部３を圧着する。【効果】曲面や、箱体の角部外側などでも確実に接着して装着することができる。ペン立て自体の高級感を提供し装着部分の品位を損なわない。【選択図】  図１
2004249628.tif 000002
【特許請求の範囲】
【請求項１】
接着剤と剥離紙とを接着面に設けた接着基板と、該接着基板に連結され、筆記具を保持する保持筒とからなるペン立てにおいて、皮革又は布地からなる一枚の柔軟性シート材の略中央を縫着して接着基板と保持筒とを一体に形成したことを特徴とするペン立て。
【請求項２】
前記保持筒の開口端部において、該保持筒の内側面から前記接着基板の接着面に至り、保持筒と接着基板との境界にある縫着部を圧着して保持筒の開口部を略円形に保持する圧着保持具を装着した請求項１記載のペン立て。
【請求項３】
接着剤と剥離紙とを接着面に設けた接着基板と、該接着基板に連結され、筆記具を保持する保持筒とからなるペン立ての製造方法において、一枚の柔軟性シート材を二つ折りに屈曲し、該屈曲側縁に沿って二つ折りのシート材を縫着して保持筒と一対の接着基板とを形成し、該接着基板の重合面それぞれに接着剤と剥離紙とを積層状態に設け、保持筒の開口端部における該保持筒の内側面から前記接着基板の接着面に至り、保持筒と接着基板との境界にある縫着部分を圧着して保持筒の開口部を略円形に保持する圧着保持具を装着することを特徴とするペン立ての製造方法。
【発明の詳細な説明】
【０００１】
【発明の属する技術分野】
本発明は、皮革や布等の柔軟な素材を使用して、例えば車両のダッシュボード周辺や、箱体の角部などにも自由に装着することができ、装着部分の品位を保つことが可能なペン立て及びその製造方法に関する。
【０００２】
【従来の技術】
任意の面に接着自在に設けたペン立ては、例えば特許文献１及び特許文献２に記載されたペン立てが提案されており、また、皮革や厚手の布地など、柔軟な材質を用いた筆立ては、特許文献３に記載されている。
【０００３】
特許文献１のペン立てはプラスチック材、紙材製の基材シートに筆記具保持筒を接着したもので、基材シートの裏面に設けた粘着材で任意の面に接着して使用するペン立てである。このペン立ては、特に基材シートを分離自在に設けてあり、複数のペン立ての中から必要に応じて分断して用いるものである。
【０００４】
特許文献２に記載されたペン立ては、壁面に設置可能となるぺン立てであり、ペン受け孔を設けたペン立て主体を、接着材等を用いて壁面に固定する。このペン立てでは、ペン立て主体に設けたペン受け孔の角度を５〜７°傾斜させることで、ペン立て主体で支持したペンの上部が、壁面から離れるようにしたものである。
【０００５】
特許文献３に記載のペン立ては、皮革や厚手の布地など、柔軟性を有する材料によって筒型に形成した筒型容器本体と、該筒型容器本体の外部に設けた外側容器とからなるペン立てである。このペン立ては、油絵などに使用する多数の筆を収納するために、柔軟性を有する材質で形成したものである。
【０００６】
【特許文献１】
実用新案登録第３０６９１０７号公報
【特許文献２】
特開平８‐１７５０８０号公報
【特許文献３】
実公平１‐２０１５２号公報
【０００７】
【発明が解決しようとする課題】
ところが、従来のいずれのペン立てにおいても、曲面や凹凸面などの任意な面に装着することはできず、しかも、ペン立てとして独自の高級感を提供することは適わないものであった。
【０００８】
すなわち、プラスチック材や紙材で形成された特許文献１のペン立ては、基材シートの柔軟性に応じて、ある程度湾曲した面などに接着することは可能でも、例えば車両のシフトボックス等の如き箱状角部の外側や内側などに確実に接着することは困難であった。しかも、特許文献１では、連続する基材シートから分割して使用するものなので、基材シートの分割面が露呈することになる。したがって、体裁にこだわらない位置への装着は問題ないが、例えば、高級車の室内や応接室などで使用する場合のように、周囲の品位を保ちながら装着することは困難である。特に、革張り等の高級インテリアに装着する場合など、装着部分の品位を損なわないようにするには、ペン立ての素材も皮革等の高級素材に厳選する必要がある。
【０００９】
また、特許文献２に記載されたペン立てのように成型されたペン立てを接着剤で固定するものでは、接着する壁面が平坦でなければならない。そのため、ペン立てを装着する位置は、壁面などに限定される不都合がある。
【００１０】
更に、特許文献３に記載のペン立てでは、皮革や厚手の布地など、柔軟性を有する材料によって形成することで、絵の具用の筆を傷付けずに収納することは可能でも、任意の場所に接着することはできない。また、皮革や布地を用いているが、これら材質の高級感を利用したものではなく、しかも、絵の具用の筆立てとして特殊な用途に限定されているので汎用性にも欠けている。
【００１１】
そこで本発明は、上述の課題を解消すべく創出されたもので、曲面や、箱体の角部外側などでも確実に接着して装着することができ、しかも、ペン立て自体の高級感を提供して装着部分の品位を保つことが可能なペン立て及びその製造方法の提供を目的とする。
【００１２】
【課題を解決するための手段】
上述の目的を達成すべく本発明の第１の手段は、接着剤２Ａと剥離紙２Ｂとを接着面に設けた接着基板２と、該接着基板２に連結され、筆記具を保持する保持筒１とからなるペン立てにおいて、皮革又は布地からなる一枚の柔軟性シート材Ｐの略中央を縫着して接着基板２と保持筒１とを一体に形成したことにある。
【００１３】
第２の手段は、保持筒１の開口端部において、該保持筒１の内側面から前記接着基板２の接着面に至り、保持筒１と接着基板２との境界にある縫着部３を圧着して保持筒１の開口部を略円形に保持する圧着保持具４を装着する。
【００１４】
第３の手段は、接着剤２Ａと剥離紙２Ｂとを接着面に設けた接着基板２と、該接着基板２に連結され、筆記具を保持する保持筒１とからなるペン立ての製造方法において、一枚の柔軟性シート材Ｐを二つ折りに屈曲し、該屈曲側縁Ｐ１に沿って二つ折りのシート材Ｐを縫着して保持筒１と一対の接着基板２とを形成し、該接着基板２の重合面それぞれに接着剤２Ａと剥離紙２Ｂとを積層状態に設け、保持筒１の開口端部における該保持筒１の内側面から前記接着基板２の接着面に至り、保持筒１と接着基板２との境界にある縫着部３を圧着して保持筒１の開口部を略円形に保持する圧着保持具４を装着することを課題解消のための手段とする。
【００１５】
【発明の実施の形態】
以下、図面を参照して本発明の実施の形態を詳細に説明する。本発明は、皮革又は布地からなる一枚の柔軟性シート材Ｐを用い、筆記具を保持する保持筒１とこの保持筒１を所定の位置に接着固定する接着基板２とからなる（図１参照）。
【００１６】
保持筒１は、シート材Ｐの略中央を縫着することで、接着基板２と一体に形成している（図２参照）。一方、接着基板２の接着面には、接着剤２Ａと剥離紙２Ｂとを設けている（図３（ハ）参照）。使用時には、剥離紙２Ｂを剥がして接着剤２Ａを表出せしめ、任意の所定面に接着基板２を接着して使用する。この際、接着基板２の材質が柔軟なシート材Ｐを用いているので、例えば、車両のダッシュボードの曲面や、同じく車両のシフトレバーボックスにおける角部内外など、装着面の凹凸や角度の付いた装着面など、任意の面に接着できる（図４参照）。
【００１７】
保持筒１及び接着基板２の材質は、装着場所の材質に適応させるのが望ましい。例えば、高級車の室内では、主に皮革が使用されているので、シート材Ｐの材質も、高級感のある皮革の使用が好ましい。また、皮革の表面に、象嵌装飾や印刷その他、宣伝・広告などを加工することで、高級車のカーアクセサリーや、メーカーの指定用品などとして使用することも可能である。
【００１８】
接着基板２の幅は、広いほど安定感が増す。そこで、接着基板２の左右の幅は少なくとも、保持筒１の外周を覆う程度の幅以上に設定するのが望ましい。また装着場所の材質と同質、同色のシート材Ｐを用いる場合は、接着基板２が装着場所に馴染むので、比較的幅の広い接着基板２を使用することが可能になる。
【００１９】
符号４は、保持筒１の開口部を略円形状に形成する圧着保持具である。すなわち、皮革又は布地からなる柔軟性シート材Ｐを縫着して保持筒１を形成した場合、縫着力が影響して保持筒１を扁平にしてしまう不都合がある（図２（イ）参照）。そこで、この扁平な保持筒１の開口部に、圧着保持具４を装着することで、保持筒１の開口部を略円形状に保つと共に、縫着部３を介して設けた一対の接着基板２を略水平に広げることが可能になる（図２（ロ）参照）。この傾向は、特に皮革をシート材Ｐに用いた場合に強く生じる。
【００２０】
圧着保持具４は、保持筒１の内側面から接着基板２の接着面に至り、保持筒１と接着基板２との境界にある縫着部３を圧着して保持筒１の開口部を保持するものである（図１、図２（ロ）参照）。図示の圧着保持具４は、帯状板を二つ折に屈曲して略クリップ形状に設け、このクリップで縫着部３を挟着するように装着している（図３（ハ）参照）。このように圧着保持具４を装着することで、柔軟性の材質で形成した保持筒１や接着基板２の形状を整え、ペン立てとしての品位を高めることができる。圧着保持具４の材質として、特に金属材を用いることで、圧着力を強化すると共に、この圧着保持具４をワンポイント状の装飾体として使用することが可能である（図１参照）。
【００２１】
図２及び図３に基づいて本発明の製造方法を説明する。第１の工程は、一枚の柔軟性シート材Ｐ（図３（イ）参照）を二つ折りに屈曲し、該屈曲側縁Ｐ１に沿って二つ折りのシート材Ｐを縫着する工程である（同図（ロ）参照）。この工程により、保持筒１を中央にして左右一対の接着基板２が形成される（同図（ハ）参照）。
【００２２】
第２の工程は、保持筒１の開口端部に圧着保持具４を装着する工程である（図３（ハ）参照）。この工程では、保持筒１の内側面から前記接着基板２の接着面にかけて、強制的に圧着するように圧着保持具４を装着する。この工程により、保持筒１と接着基板２との境界にある縫着部３を圧着して保持筒１の開口部を略円形に整える（図２（ロ）参照）。
【００２３】
第３の工程は、該接着基板２の重合面それぞれに接着剤２Ａと剥離紙２Ｂとを積層状態に設ける（図３（ハ）参照）。図示例では、保持筒１の底部を塞ぐ底片１Ａを接着剤２Ａに接着している。尚、この底片１Ａは、保持筒１形成時に、縫着部３に縫い込んでもよい。
【００２４】
【発明の効果】
本発明は、上述の如く構成したことにより、当初の目的を達成する。
【００２５】
すなわち、一枚の柔軟性シート材の略中央を縫着して接着基板２と保持筒１とを一体に形成したことにより、車両のダッシュボード等の曲面や平面などは勿論のこと箱体の角部外側や内側、あるいはパイプの側面など、あらゆる面に柔軟な接着基板２を接着することが可能になった。しかも、皮革又は布地からなる柔軟性のシート材Ｐで形成しているので、ペン立て自体の高級感を提供して装着部分の品位を保つことも可能になる。この結果、高級車の室内や応接室など、革張り等の高級インテリアに装着する場合においても、装着部分の品位を保ちながら装着することができる。
【００２６】
また、保持筒１の開口端部に圧着保持具４を装着したことにより、皮革又は布地からなる柔軟性のシート材Ｐで形成した保持筒１の開口部を略円形に保持することに成功した。この結果、保持筒１の素材を活かしながら保持筒１を円筒状に形成することができる。しかも、保持筒１の開口部に装着した圧着保持具４をワンポイント状の装飾体として用いることにより、高級感を高める装飾効果もある。
【００２７】
そして、本発明の製造方法によると、皮革又は布地からなる一枚の柔軟性シート材Ｐを用いて、開口部を略円形に形成した保持筒１と一対の接着基板２とを一体に形成できるので、シート材Ｐの質感を活かし、ペン立て自体の高級感を提供することができる。
【００２８】
このように本発明によると、曲面や、箱体の角部外側などでも確実に接着して装着することができ、しかも、ペン立て自体の高級感を提供して装着部分の品位を保つことが可能になるなどといった種々の効果を奏するものである。
【図面の簡単な説明】
【図１】本発明の一実施例を示す斜視図。
【図２】本発明の平面を示し、（イ）は縫着部を設けた状態、（ロ）は圧着保持具を装着した状態を示す。
【図３】（イ）乃至（ハ）は、本発明の製造工程を示す図。
【図４】本発明の装着状態を示す斜視図。
【符号の説明】
Ｐ  シート材
１  保持筒          １Ａ  底片
２  接着基板        ２Ａ  接着剤
２Ｂ  剥離紙
３  縫着部
４  圧着保持具
【図１】
2004249628.tif 000003
【図２】
2004249628.tif 000004
【図３】
2004249628.tif 000005
【図４】
2004249628.tif 000006